(57)【要約】【課題】サーバに個人情報を登録不要で、個人の好みに合わせて選択できるホームページリンク集を出力するシステムを構成する。【解決手段】識別子を付加したリンクデータを集めたデータベースを持ち、ネットワークを通じて前記リンクデータを前記利用者が選択できる選択ページを情報手段を備え、前記選択ページで利用者が選択したものを、データの識別子やその付加情報で文字列を構成したクッキーとして、前記利用者のパソコンに保存する情報手段を持ち、次回より、前記クッキーを読み出して、それと前記データベースを元にして、個人の好みに合わせたリンクを表示できるお好みリンクページを出力するシステム。【選択図】図２
2004199717.tif 000002
【特許請求の範囲】
【請求項１】
多数の有用なホームページの、ユニークな識別子を付加したリンクデータを含むデータベースを備え、利用者のブラウザの持つクッキー機能を利用して、前記利用者のシステムと、十分に長い期限を持つ特定名を付けたクッキーを、ネットワークを介してやりとりする情報手段を備え、利用者ごとに前記データベースより抽出されたリンクデータから対応する利用者の好みのリンクデータを選択する選択ページを、ネットワークを介して対応する利用者のシステムに送信する情報手段を備え、前記選択ページからネットワークを介して得られた情報と前記クッキーを元にして構成した文字列データを前記クッキーとして、対応する利用者のシステムの記憶装置にネットワークを介して保存する情報手段を備え、利用者ごとに前記ネットワークを介して得られた前記クッキーを読み出し、前記クッキーから、すくなくとも所定のリンクデータと、前記クッキーを元にした付加情報を載せた利用者お好みリンクページを、対応する利用者のシステムに前記ネットワークを介して送信する情報手段を備えた情報システム。
【請求項２】
多数の有用なホームページを分類して、分類コードと分類内でユニークな識別子を付加したリンクデータを含むデータベースを備え、利用者のブラウザの持つクッキー機能を利用して、利用者のシステムと、十分に長い期限を持つ特定名を付けたクッキーを、ネットワークを介してやりとりする情報手段を備え、利用者ごとに前記データベースより抽出されたリンクデータから対応する利用者の好みのリンクデータを選択する選択ページを、ネットワークを介して対応する利用者のシステムに出力する情報手段を備え、利用者ごとに前記選択ページからネットワークを介して得られた情報と前記クッキーから、分類情報と前記識別子を元にして構成した文字列データを、前記クッキーとして、対応する利用者のシステムの記憶装置にネットワークを介して保存する情報手段を備え、前記ネットワークを介して前記クッキーを読み出し、前記クッキーから、すくなくとも所定のリンクデータと、前記クッキーを元にした付加情報を載せた利用者お好みリンクページを、対応する利用者のシステムに前記ネットワークを介して送信する情報手段を備えた情報システム。
【請求項３】
多数の有用なホームページを分類して、分類コードと分類内でユニークな識別子と地域、性別、年齢層などの条件情報を付加したリンクデータを含むデータベースを備え、利用者のブラウザの持つクッキー機能を利用して、前記利用者のシステムと、十分に長い期限を持つ特定名を付けたクッキーを、ネットワークを介してやりとりする情報手段を備え、利用者ごとに地域、性別、年齢などの条件情報を入力する設定ページを対応する利用者のシステムにネットワークを介して出力する情報手段を備え、前記設定ページからネットワークを介して得られた情報と前記クッキーを元にしてまとめて構成した文字列データを前記クッキーとして、対応する利用者のシステムに、ネットワークを介して保存する情報手段を備え、利用者ごとにネットワークを介して得られた前記クッキーを元にして前記データベースより抽出されたリンクデータから対応する利用者の好みのリンクデータを選択する選択ページを、対応する利用者のシステムにネットワークを介して送信する情報手段を備え、前記選択ページからネットワークを介して得られた情報と前記クッキーを元にして構成した構成した文字列データを前記クッキーとして、対応する利用者のシステムにネットワークを介して保存する情報手段を備え、利用者ごとに、前記クッキーを、前記ネットワークを介して読み出し、前記クッキーから、すくなくとも所定のリンクデータと、前記クッキーを元にした付加情報を載せた利用者お好みリンクページを、対応する利用者のシステムに前記ネットワークを介して送信する情報手段を備えた情報システム。
【請求項４】
前記利用者のシステムの記憶装置に保存された前記クッキーを取り出し前記利用者のシステムに、文字列として表示したり、名前を付けて前記利用者データ保機能とは別に保存したりする情報手段を備え、前記記憶装置に保存された前記データや前記文字列を前記クッキーとして登録できる情報手段を備えた、請求項１または請求項２または請求項３に記載の情報システム。
【請求項５】
前記利用者の指定した好みに応じて、あらかじめの決められた推奨リンクデータを一括して登録する情報手段を備えた、請求項１または請求項２または請求項３に記載の情報システム。
【請求項６】
前記選択データの中から、特定のリンクデータが不良であることを前記利用者がシステム管理者に通知する情報手段を備えた、請求項１または請求項２または請求項３に記載の情報システム。
【請求項７】
前記選択データの中から、前記利用者が前記選択ページにおいて選択した特定リンクに評価点を与えてデータベースに記録する情報手段と、前記評価点を集計して、前記情報システムのリンクデータ選択時の表示方法に反映させる情報手段を備えた、請求項１または請求項２または請求項３に記載の情報システム。
【請求項８】
さらに広告データベースを備え、前記付加情報は、前記利用者より、ネットワークを介して取得した前記クッキーを元にして、前記広告データベースより抽出し、利用者ごとに選んだ広告である、請求項１から請求項７のいずれかに記載の情報システム。
【発明の詳細な説明】
【技術分野】
【０００１】本発明は、ネットワークにおけるホームページのリンクデータを集めたデータベースから、利用者自身が独自にリンクデータを選択して、その後、再度表示させたときにもそれらを表示出来るようにする選択ページを、クッキー機能を利用して実現することで、会員登録やログインの必要がなく、サーバが利用者の個々のデータを保持する必要がないようにしたものである。
【背景技術】
【０００２】目的のホームページを探すときには、通常、ネットワーク上にあるリンク集と呼ばれるリンクを集めたホームページを利用する。そして、何度も同じホームページにアクセスするときには、オフラインのブラウザの「お気に入り」機能に登録する。
【発明の開示】
【発明が解決しようとする課題】
【０００３】ネットワークのリンク集は、分類された膨大なページを整理したホームページであるが、データ数が多くなりがちで、何度か分類のリンクをたどって必要なものを見つけだすのに手間が掛かり、しかも画面に多くのデータが表示されているために、その中から利用者が目的のものを探し出しにくいので、何度も同じリンクを利用する時に不便を感じる。
しかし、ブラウザの「お気に入り」機能により、好みのホームページのリンクをセットして再度利用することができるが、しばらく使わないとリンクが古くなってしまうし、アドレス変更に伴う更新などを行うメンテナンス機能がなく、さらに競合する有力ホームページ出現などの最新情報と関連機能が付加されず、できればオンライン化されたもののほうがよいはずである。その点では、よく管理されたネットワーク上のリンク集はリンク切れが少なく、最新情報が掲載されていて便利である。本発明は、リンク集とブラウザの「お気に入り」機能の利点をあわせもったお好みリンクページを、会員登録なしで実現する技術に関するものである。
【課題を解決するための手段】
【０００４】本システムには、よくメンテナンスされた有用なホームページのリンクデータを分類して集めたデータベースを用意しておく。
本システムは、十分に長い期限を持つ特定の名前を付けたクッキーを、ネットワークを介して、利用者システムから取得したり、利用者システムに保存したりする機能を持つ。
まず利用者が本システムの選択ページに、前記ネットワークを介してアクセスしてきたら、本システムは、前記クッキーを取得し、前記ネットワークを通じて分類ごとに前記データベースからリンクデータを抽出して、選択データとして利用者のシステムに選択ページを、ネットワークを介して送る。
利用者が選択データを確定させると、そのデータは本システムにネットワークを介して送られ、本システムは選択されたデータを元にして、以前のクッキーと識別子と分類を組み合わせた文字列データを作成し、前記クッキーとして利用者のシステムに保存する。
前記利用者が本システムのお好みリンクページにアクセスしたら、本システムは前記クッキーを利用者のシステムから取得し、分類コードとリンクデータの識別子を前記データベースから検索してリンクデータや関連情報を表示するお好みリンクページを、ネットワークを介して出力する。
請求項３では、個人の情報を取得する情報ページを備えて、選択ページの選択肢を絞ったり、お好みリンクページに有用な情報を付加するのに用いられる。
請求項４では、前記クッキーを利用者のシステムに名前を付けて保存し、保存したものを他の利用者のシステムに読み込むことができる機能を持つ。
請求項５では、最初に、推奨リンクをあらかじめ登録しておく機能を持つ。
請求項６では、リンク切れの場合に、利用者がサーバにそのことを告知することができる機能を持つ。
請求項７では、利用者がリンクに評価点を与えて、それが選択ページの表示に反映させる機能を持つ。
【発明の効果】
【０００５】利用者は、ネットワークを介して本システムから送られた選択ページの選択データを一度選択するだけで、前記ネットワークを介して本システムから送られたお好みリンクページをアクセスすることにより、利用者個人が日常的に必要となる最小限のリンクデータが表示されたページが表示されることになる。
本システムは、個人の選択データは個人のシステムにクッキーとして記憶されるので、利用者ＩＤのサーバへの登録などの手間は不要である。
本来、インターネットにおけるリンク集は一般の人が手軽に利用できるように作られているものである。
本システムと同程度の機能を持たせるためには会員制にすることが必要だと考えるのが普通である。しかし、アクセス回数を増やすために、会員制はきわめて不利であり、会員登録の必要のない本システムは画期的なものとなる。
本システムは、会員制に近い使用感があるにもかかわらず、サーバにとって、会員登録機能や機密保持の負担や、巨大な会員の情報を納めるデータベースを必要としない。
ブラウザの「お気に入り」機能では、好みのホームページのリンクを登録することができるが、本システムでは、アドレス変更に伴う更新などのメンテナンスをサーバ側が行うことでリンク切れが生じにくく、さらに利用者が選択したリンクと競合する有力ホームページ出現などの最新情報などを付加することができる点で、ブラウザ「お気に入り」より優れている。
つまり、本システムは、ブラウザの「お気に入り」機能に、リンク集を合体させたような効果を持たせるだけでなく、さらに個人の好みに応じた付加サービスを与える相乗効果を備えたものといえる。
請求項３に特徴的な部分について述べると、利用者が年齢、性別、趣味や地域を登録することにより、必要な情報を絞り込み、選択ページより選択リンク集を作るときに選択を容易にすることができ、インターネット上の非会員制ホームページではこれまで難しかった、全国的な、広範な分野に関連するホームページでありながら、年齢、性別、趣味を限定した効率の良い広告媒体、さらには地域に根ざした効率の良い広告媒体となることが可能となる。
【発明の実施するための最良の形態】
【０００６】本発明のシステムは、インターネットで一般に公開し、クッキーを持つブラウザを利用する不特定多数の利用者ための、よくメンテナンスをされた大規模なデータベースを備えたサイトの一つのＷｅｂサービスとして実施する。
【実施例】
【０００７】本システムの実施の形態１。本形態は、請求項１の実施形態を説明している。本システムのデータベースとして、多数の銀行サイトのホームページのリンクデータを持ち、それぞれに、英数字５文字からなる識別子が付けられている。本システムの選択ページには、データベースから抽出した銀行データが掲載されている選択リストがある。利用者は、まずこの選択ページに初めてアクセスする。選択データの中から、Ａ銀行を選択すると、本システムは、選択データをインターネットを介して受取り、Ａ銀行の識別子ａｂａｎｋで、ａｂａｎｋという文字列を作り、これをクッキーとしてインターネットを介して利用者のシステムに送り、システムのブラウザは自動的に前記クッキーをハードディスクに保存する。再び、前記利用者が選択ページにアクセスして、選択データの中から、Ｂ銀行を選択すると、本システムは、選択データをインターネットを介して受取り、Ｂ銀行の識別子ｂｂａｎｋを、パソコンからクッキーとして送られてきた前回の文字列と結合して、ａｂａｎｋ：ｂｂａｎｋという文字列にしてクッキーとしてインターネットを介して前記利用者のパソコンに送り、パソコンのブラウザは自動的に前記クッキーをハードディスクに保存する。つづいて前記利用者が、本システムの利用者お好みリンクページにアクセスすると、本システムは前記利用者のパソコンから送られてきたａｂａｎｋ：ｂｂａｎｋというクッキーから、Ａ銀行のリンクとＢ銀行のリンクを表示する。前記利用者はそれらをマウスでクリックすることによって、各ホームページを開くことが出来る。【０００８】本システムの実施の形態２。本形態は、請求項２の実施形態を説明している。本システムのデータベースとして、多数の銀行サイトとインターネットショップのホームページのリンクデータを持ち、それぞれに、英数字５文字からなる識別子が付けられている。本システムの選択ＨＴＭＬページには、銀行という題名の付いた、データベースから抽出した銀行データがすべて掲載されている選択リストと、インターネットショップという題名の付いたインターネットショップのデータがすべて掲載されている選択リストがある。利用者は、まずこの選択ページに初めてアクセスする。前記利用者が銀行のデータの中から、Ａ銀行を選択すると、本システムは、選択データをインターネットを介して受取り、銀行という分類コードｂｋと、Ａ銀行の識別子ａｂａｎｋを組み合わせて、ｂｋ：ａｂａｎｋという文字列を作り、これをクッキーとしてインターネットを介して前記利用者のパソコンに送り、パソコンのブラウザは自動的に前記クッキーをハードディスクに保存する。再び、前記利用者が選択ページにアクセスして、インターネットショップの選択データの中から、ＣＡＴショップを選択すると、本システムは、選択データを、インターネットを介して受取り、インターネットショップという分類コードｉｓと、ＣＡＴショップの識別子ｃｓｈｏｐを組み合わせて、ｉｓ：ｃｓｈｏｐという文字列を作り、パソコンからクッキーとして送られてきた前回の文字列と結合して、ｂｋ：ａｂａｎｋ；ｉｓ：ｃｓｈｏｐという文字列にしてクッキーとしてインターネットを介して前記利用者のパソコンに送り、パソコンのブラウザは自動的に前記クッキーをハードディスクに保存する。つづいて利用者が、本システムの利用者お好みリンクページにアクセスすると、本システムは利用者のパソコンから送られてきたｂｋ：ａｂａｎｋ；ｉｓ：ｃｓｈｏｐというクッキーから、銀行欄には、Ａ銀行のリンクを表示し、インターネットショップの欄には、ＣＡＴショップのリンクを表示する。前記利用者はそれらをマウスでクリックすることによって、各ホームページを開くことが出来る。【０００９】本システムの実施の形態３。本形態は、請求項３の実施形態を説明している。本システムのデータベースとして、地域名と、多数の銀行サイトとインターネットショップのホームページのリンクデータを持ち、それぞれに、英数字５文字からなる識別子が付けられていて、さらに支店の存在する地域がコード化されている。本システムの選択ＨＴＭＬページには、地域という題名のついた、データベースから抽出した地域データがすべて掲載されている選択リストと、銀行という題名の付いた、データベースから抽出した銀行データがすべて掲載されている選択リストと、インターネットショップという題名の付いた、データベースから抽出したインターネットショップのデータがすべて掲載されている選択リストがある。利用者は、まずこの選択ページに初めてアクセスする。この選択ページには地域という題名のついた、データベースから抽出した地域データがすべて掲載されている。前記利用者が地域のデータの中から、東京を選択すると、本システムは、選択したデータをインターネットを通じて受取り、地域という分類コードａｒと、東京の識別子ｔｏｋｙｏを組み合わせて、ａｒ：ｔｏｋｙｏという文字列を作り、これをクッキーとしてインターネットを介して前記利用者のパソコンに送り、パソコンのブラウザは自動的に前記クッキーをハードディスクに保存する。再び前記利用者が本システムの選択ページにアクセスすると、本システムの選択ページには、銀行という題名の付いた、データベースから抽出した東京に支店を持つ銀行データだけがすべて掲載されている選択リストと、インターネットショップという題名の付いた、データベースから抽出した東京に営業所を持つインターネットショップのデータがすべて掲載されている選択リストが表示される。銀行のデータの中から、Ａ銀行を選択すると、本システムは選択データをインターネットを介して受取り、銀行という分類コードｂｋと、Ａ銀行の識別子ａｂａｎｋを組み合わせて、ｂｋ：ａｂａｎｋという文字列を作り、パソコンからクッキーとして送られてきた前回の文字列と結合して、ａｒ：ｔｏｋｙｏ；ｂｋ：ａｂａｎｋという文字列にしてクッキーとしてインターネットを介して前記利用者のパソコンに送り、パソコンのブラウザは自動的に前記クッキーをハードディスクに保存する。同様にして、再び前記利用者が本システムの選択ページにアクセスして、インターネットショップのＣＡＴショップを選択すると、本システムからパソコンに送るクッキーは、ａｒ：ｔｏｋｙｏ；ｂｋ：ａｂａｎｋ；ｉｓ：ｃｓｈｏｐとなる。つづいて前記利用者が、本システムの利用者お好みリンクページにアクセスすると、本システムは利用者のパソコンから送られてきたａｒ：ｔｏｋｙｏ；ｂｋ：ａｂａｎｋ；ｉｓ：ｃｓｈｏｐというクッキーから、地域欄には、東京を表示し、銀行欄には、Ａ銀行のリンクを表示し、インターネットショップの欄には、ＣＡＴショップのリンクを表示する。さらに東京限定の広告も表示される。前記利用者はそれらをマウスでクリックすることによって、各ホームページを開くことが出来る。地域を先に選択することで、選択リストの数が極端に減り、利用者は目的のデータを選択しやすくなる。
【図面の簡単な説明】
【図１】ネットワークで繋がれた本システムと利用者の関係
【図２】請求項１の場合の利用者側に表示されるＨＴＭＬページ例
【図３】請求項２の場合の利用者側に表示されるＨＴＭＬページ例
【図４】請求項３の場合の利用者側に表示されるＨＴＭＬページ例  １  サーバシステム  ２  利用者のシステム  ３  抽出したリンクデータ  ４  抽出のための情報  ５  利用者個人データの入ったクッキー、情報ページ、選択ページ、お好みリンクページ  ６  利用者個人データの入ったクッキー、情報ページの選択情報、選択ページの選択情報  ７  利用者個人データの入ったクッキーの呼び出し  ８  利用者個人データの入ったクッキーの保存  ９  選択ページ表示例  １０  お好みリンクページ表示例  １１  選択ページ表示例  １２  お好みリンクページ表示例  １３  情報ページ表示例  １４  情報ページの内容でデータベースから抽出された選択ページ表示例  １５  お好みリンクページ表示例
【図１】
2004199717.tif 000003
【図２】
2004199717.tif 000004
【図３】
2004199717.tif 000005
【図４】
2004199717.tif 000006